【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
複数の第１のキャリアを含む第１の信号を提供するように動作可能な第１の無線基地局（ＢＴＳ）と、
複数の第２のキャリアを含む第２の信号を提供するように動作可能な第２のＢＴＳと、
１つ又は複数のデジタルアクセスユニット（ＤＡＵ）の組であって、前記１つ又は複数のＤＡＵのそれぞれは、前記第１のＢＴＳ又は前記第２のＢＴＳの少なくとも１つに結合されている、１つ又は複数のデジタルアクセスユニット（ＤＡＵ）の組と、
１つ又は複数のデジタルリモートユニット（ＤＲＵ）の組であって、前記ＤＲＵのそれぞれは、前記１つ又は複数ＤＡＵの１つに結合され、前記第１の信号又は前記第２の信号をブロードキャストするように動作可能である、１つ又は複数のデジタルリモートユニット（ＤＲＵ）の組と、
を含むネットワーク。
【請求項２】
前記第１のＢＴＳが、第１のインフラ提供者に関連し、前記第２のＢＴＳが、第２のインフラ提供者に関連する、請求項１に記載のネットワーク。
【請求項３】
前記第１のインフラ提供者及び前記第２のインフラ提供者が、同じインフラ提供者である、請求項２に記載のネットワーク。
【請求項４】
前記１つ又は複数のＢＴＳが、異なるブロードキャストプロトコルを使用して、前記複数のキャリアを含む信号を提供する、請求項１に記載のネットワーク。
【請求項５】
前記異なるブロードキャストプロトコルが、ＣＤＭＡ又はＷＣＤＭＡ（登録商標）の少なくとも１つを含む、請求項４に記載のネットワーク。
【請求項６】
前記異なるブロードキャストプロトコルが、ＬＴＥを含む、請求項４に記載のネットワーク。
【請求項７】
前記１つ又は複数のＤＡＵが、イーサネット（登録商標）ケーブル、光ファイバ、マイクロ波見通し線リンク、ワイヤレスリンク、又は衛星リンクの少なくとも１つを介して結合された複数のＤＡＵを含む、請求項１に記載のネットワーク。
【請求項８】
前記１つ又は複数のＤＡＵが、イーサネット（登録商標）ケーブル、光ファイバ、マイクロ波見通し線リンク、ワイヤレスリンク、又は衛星リンクの少なくとも１つを介して前記複数のＤＲＵに結合された複数のＤＡＵを含む、請求項７に記載のネットワーク。
【請求項９】
前記１つ又は複数のＤＲＵが、デイジーチェーン構成で接続された複数のＤＲＵを含む、請求項１に記載のネットワーク。
【請求項１０】
前記１つ又は複数のＤＲＵが、スター構成で前記１つ又は複数のＤＡＵに接続された複数のＤＲＵを含む、請求項１に記載のネットワーク。
【請求項１１】
前記１つ又は複数のＤＡＵのそれぞれが、イーサネット（登録商標）ケーブル、光ファイバ、マイクロ波見通し線リンク、ワイヤレスリンク、又は衛星リンクの少なくとも１つを介して、前記第１のＢＴＳ又は前記第２のＢＴＳの少なくとも１つに結合される、請求項１に記載のネットワーク。
【手続補正２】
【補正対象書類名】明細書
【補正対象項目名】０００６
【補正方法】変更
【補正の内容】
【０００６】
[0006]１つ又は複数のＢＴＳは、異なるブロードキャストプロトコルを使用して、複数のキャリアを含む信号を提供することができる。異なるブロードキャストプロトコルは、ＣＤＭＡ、ＷＣＤＭＡ（登録商標）、又はＬＴＥの少なくとも１つを含むことができる。１つ又は複数のＤＡＵは、イーサネット（登録商標）ケーブル、光ファイバ、マイクロ波見通し線リンク（Ｍｉｃｒｏｗａｖｅ  Ｌｉｎｅ  ｏｆ  Ｓｉｇｈｔ  Ｌｉｎｋ）、ワイヤレスリンク、又は衛星リンクの少なくとも１つを介して結合された複数のＤＡＵを含むことができる。１つ又は複数のＤＡＵは、イーサネットケーブル、光ファイバ、マイクロ波見通し線リンク、ワイヤレスリンク、又は衛星リンクの少なくとも１つを介して複数のＤＲＵに結合された複数のＤＡＵを含むことができる。１つ又は複数のＤＲＵは、デイジーチェーン構成及び／又はスター構成で接続された複数のＤＲＵを含むことができる。１つ又は複数のＤＡＵのそれぞれは、たとえば、イーサネットケーブル、光ファイバ、マイクロ波見通し線リンク、ワイヤレスリンク、又は衛星リンクの少なくとも１つを介して、第１のＢＴＳ又は第２のＢＴＳの少なくとも１つに結合することができる。
【手続補正３】
【補正対象書類名】明細書
【補正対象項目名】００５５
【補正方法】変更
【補正の内容】
【００５５】
[0069]また、本明細書に記述した例及び実施形態は、説明のみを目的とするものであり、それを鑑みて様々な変更又は変化が当業者に提案され、それらは本出願の精神及び範囲、並びに添付された請求項の範囲内に含まれることを理解されるであろう。
［発明の例］
［例１］
複数の第１のキャリアを含む第１の信号を提供するように動作可能な第１の無線基地局（ＢＴＳ）と、
複数の第２のキャリアを含む第２の信号を提供するように動作可能な第２のＢＴＳと、
１つ又は複数のデジタルアクセスユニット（ＤＡＵ）の組であって、前記１つ又は複数のＤＡＵのそれぞれは、前記第１のＢＴＳ又は前記第２のＢＴＳの少なくとも１つに結合されている、１つ又は複数のデジタルアクセスユニット（ＤＡＵ）の組と、
１つ又は複数のデジタルリモートユニット（ＤＲＵ）の組であって、前記ＤＲＵのそれぞれは、前記１つ又は複数ＤＡＵの１つに結合され、前記第１の信号又は前記第２の信号をブロードキャストするように動作可能である、１つ又は複数のデジタルリモートユニット（ＤＲＵ）の組と、
を含むネットワーク。
［例２］
前記第１のＢＴＳが、第１のインフラ提供者に関連し、前記第２のＢＴＳが、第２のインフラ提供者に関連する、例１に記載のネットワーク。
［例３］
前記第１のインフラ提供者及び前記第２のインフラ提供者が、同じインフラ提供者である、例２に記載のネットワーク。
［例４］
前記１つ又は複数のＢＴＳが、異なるブロードキャストプロトコルを使用して、前記複数のキャリアを含む信号を提供する、例１に記載のネットワーク。
［例５］
前記異なるブロードキャストプロトコルが、ＣＤＭＡ又はＷＣＤＭＡの少なくとも１つを含む、例４に記載のネットワーク。
［例６］
前記異なるブロードキャストプロトコルが、ＬＴＥを含む、例４に記載のネットワーク。
［例７］
前記１つ又は複数のＤＡＵが、イーサネットケーブル、光ファイバ、マイクロ波見通し線リンク、ワイヤレスリンク、又は衛星リンクの少なくとも１つを介して結合された複数のＤＡＵを含む、例１に記載のネットワーク。
［例８］
前記１つ又は複数のＤＡＵが、イーサネットケーブル、光ファイバ、マイクロ波見通し線リンク、ワイヤレスリンク、又は衛星リンクの少なくとも１つを介して前記複数のＤＲＵに結合された複数のＤＡＵを含む、例７に記載のネットワーク。
［例９］
前記１つ又は複数のＤＲＵが、デイジーチェーン構成で接続された複数のＤＲＵを含む、例１に記載のネットワーク。
［例１０］
前記１つ又は複数のＤＲＵが、スター構成で前記１つ又は複数のＤＡＵに接続された複数のＤＲＵを含む、例１に記載のネットワーク。
［例１１］
前記１つ又は複数のＤＡＵのそれぞれが、イーサネットケーブル、光ファイバ、マイクロ波見通し線リンク、ワイヤレスリンク、又は衛星リンクの少なくとも１つを介して、前記第１のＢＴＳ又は前記第２のＢＴＳの少なくとも１つに結合される、例１に記載のネットワーク。
［例１２］
第１のＢＴＳから第１の複数のキャリアを含む第１の信号を受信するステップと、
第２のＢＴＳから第２の複数のキャリアを含む第２の信号を受信するステップと、
前記第１及び第２の信号を第１のＤＲＵにルーティングするステップと、
前記第１及び第２の信号を第２のＤＲＵにルーティングするステップと、
を含む、仮想ＤＡＳネットワークを運用する方法。
［例１３］
地理的な使用パターンに基づいて複数のＤＲＵの１つに前記第１及び第２の信号を関連させるステップをさらに含み、前記複数のＤＲＵが、前記第１のＤＲＵ及び前記第２のＤＲＵを含む、
例１２に記載の方法。
［例１４］
前記第１及び第２の信号を前記第２のＤＲＵにルーティングするステップが、複数のＤＡＵを通じて前記第１、第２の信号をルーティングするステップを含む、
例１２に記載の方法。
［例１５］
前記第１のＢＴＳが、第１のインフラ提供者に関連し、前記第２のＢＴＳが、第２のインフラ提供者に関連する、例１２に記載の方法。
［例１６］
前記第１のインフラ提供者及び前記第２のインフラ提供者が、同じインフラ提供者である、例１５に記載の方法。
［例１７］
第１のＢＴＳから第１の信号を受信するステップと、
第２のＢＴＳから第２の信号を受信するステップと、
前記第１の信号を第１のＤＲＵにルーティングするステップと、
前記第２の信号を第２のＤＲＵにルーティングするステップと、
前記第１のＢＴＳから第３の信号を受信するステップと、
前記第３の信号を前記第２のＤＲＵにルーティングするステップと
を含む、仮想ＤＡＳネットワークを運用する方法。
［例１８］
前記第１のＤＲＵを、前記第１のＢＴＳ及び前記第２のＢＴＳを含む複数のＢＴＳの１つに繰り返し割り当てるステップをさらに含む
例１７に記載の方法。
［例１９］
前記第１のＤＲＵが、少なくとも部分的に前記ネットワークの複数のＤＲＵに渡って組み合わせされたＢＴＳリソースを平等に分散する試みで割り当てられる、例１８に記載の方法。
［例２０］
前記第３の信号を前記第２のＤＲＵにルーティングするステップが、複数のＤＡＵを通じて前記第３の信号をルーティングするステップを含む、例１７に記載の方法。
［例２１］
前記第１のＢＴＳが、第１のインフラ提供者に関連し、前記第２のＢＴＳが、第２のインフラ提供者に関連する、例１７に記載の方法。